(57)【要約】【課題】文字情報を添付した電話発信を行う際のユーザの操作入力方法を改善すること。【解決手段】態様の１つに係る電子機器は、表示部と、通信部と、電話発信とともに送信する送信用メッセージの入力を制御するプロセッサとを備える。前記プロセッサは、前記表示部において電話発信先が選択されると、前記送信用メッセージの入力に関連した拡張機能に基づく処理を実行する。前記プロセッサは、前記表示部において電話発信先が選択されると、前記拡張機能を含むメニュー画面を前記表示部に表示させる処理を実行する。【選択図】図２
2020021977.tif 000002
【特許請求の範囲】
【請求項１】
表示部と、
通信部と、
予め設定されるキーワードと電話着信に対する応答方法とを関連付けた応答方法データを記憶する記憶部と、
文字メッセージを含む電話着信があると、前記記憶部に記憶される前記応答方法データを取得し、当該応答方法データに規定される応答方法に従って、電話着信に関する処理を実行するプロセッサと
を備える電子機器。
【請求項２】
前記応答方法は、電話着信時の報知態様および電話着信時に実施する応答処理の内容を含む請求項１に記載の電子機器。
【請求項３】
前記プロセッサは、
電話着信に前記文字メッセージが含まれない場合、文字メッセージを含む電話着信のみを受け付ける旨を電話着信の発信元に返信する請求項１に記載の電子機器。
【請求項４】
表示部と、通信部と、記憶部とを備える電子機器が実行する制御方法であって、
文字メッセージを含む電話着信があると、予め設定されるキーワードと電話着信に対する応答方法とを関連付けて前記記憶部に記憶された応答方法データを取得し、
取得した当該応答方法データに規定される応答方法に従って、電話着信に関する処理を実行するステップと
を含む制御方法。
【請求項５】
表示部と、通信部と、記憶部とを備える電子機器に、
文字メッセージを含む電話着信があると、予め設定されるキーワードと電話着信に対する応答方法とを関連付けて前記記憶部に記憶された応答方法データを取得し、
取得した当該応答方法データに規定される応答方法に従って、電話着信に関する処理を実行するステップを
実行させる制御プログラム。
【発明の詳細な説明】
【技術分野】
【０００１】
本出願は、電子機器、制御方法、及び制御プログラムに関する。
【背景技術】
【０００２】
従来、発信側の携帯電話機で通話発信を行う際に相手へ要件等の文字情報を入力して発信し、この発信に応じた相手側（着信側）の携帯電話機の着信時に、発信側の電話番号と文字情報を表示させる技術がある（例えば、特許文献１参照）。
【先行技術文献】
【特許文献】
【０００３】
【特許文献１】特許第４６２７５２０号公報
【発明の概要】
【発明が解決しようとする課題】
【０００４】
着信側の携帯電話機に発信側の電話番号と文字情報を表示させる技術において、ユーザの利便性に関して電話着信側の機器における処理に改善の余地がある。
【課題を解決するための手段】
【０００５】
態様の１つに係る電子機器は、表示部と、通信部と、予め設定されるキーワードと電話着信に対する応答方法とを関連付けた応答方法データを記憶する記憶部と、文字メッセージを含む電話着信があると、前記記憶部に記憶される前記応答方法データを取得し、当該応答方法データに規定される応答方法に従って、電話着信に関する処理を実行するプロセッサとを備える。
【０００６】
態様の１つに係る制御方法は、表示部と、通信部と、記憶部とを備える電子機器が実行する制御方法であって、文字メッセージを含む電話着信があると、予め設定されるキーワードと電話着信に対する応答方法とを関連付けて前記記憶部に記憶された応答方法データを取得し、取得した当該応答方法データに規定される応答方法に従って、電話着信に関する処理を実行するステップとを含む。
【０００７】
態様の１つに係る制御プログラムは、表示部と、通信部と、記憶部とを備える電子機器に、文字メッセージを含む電話着信があると、予め設定されるキーワードと電話着信に対する応答方法とを関連付けて前記記憶部に記憶された応答方法データを取得し、取得した当該応答方法データに規定される応答方法に従って、電話着信に関する処理を実行するステップと実行させる。
【図面の簡単な説明】
【０００８】
【図１】図１は、実施形態に係る通話システムの概要を示す図である。
【図２】図２は、実施形態に係る電子機器の機能構成の一例を示すブロック図である。
【図３】図３は、実施形態に係る応答方法データの一例を示す図である。
【図４】図４は、実施形態に係る電子機器による処理の一例を示す図である。
【図５】図５は、実施形態に係る電子機器による処理の一例を示す図である。
【図６】図６は、実施形態に係る電子機器による処理の一例を示す図である。
【図７】図７は、実施形態に係る電子機器により実行される処理の流れの一例を示すフローチャートである。
【図８】図８は、他の実施形態に係る電子機器による処理の一例を示す図である。
【図９】図９は、実施形態に係る電子機器により実行される処理の流れの一例を示すフローチャートである。
【発明を実施するための形態】
【０００９】
本出願に係る実施形態を、図面を参照しつつ詳細に説明する。以下の説明において、同様の構成要素について同一の符号を付すことがある。さらに、重複する説明は省略することがある。
【００１０】
図１は、実施形態に係る通話システムの概要を示す図である。実施形態に係る通話システムは、電話機能を備える電子機器１と、電話機能を備える電子機器１００とを含む。図１において、電子機器１は、電子機器１００から文字メッセージを含む電話着信があると、電話着信を報知する画面に、発信ユーザ情報とともに、電話着信に含まれる文字メッセージを表示することを概要とする。通話システムは、電子機器１および電子機器１００間で通話や文字メッセージ通信するためのサーバを含むが省略する。
【００１１】
電子機器１は、予め設定されるキーワードと電話着信に対する応答方法とを関連付けた応答方法データを記憶しておく。電子機器１は、文字メッセージを含む電話着信があると、応答方法データを取得し、取得した応答方法データに規定される応答方法に従って、電話着信に関する処理を実行する点に骨子がある。
【００１２】
図２を用いて、実施形態に係る電子機器の機能構成を説明する。図２は、実施形態に係る電子機器の機能構成の一例を示すブロック図である。電子機器１は、タッチスクリーンディスプレイ２と、ボタン３と、照度センサ４と、近接センサ５と、通信ユニット６と、レシーバ７と、マイク８と、ストレージ９と、プロセッサ１０と、スピーカ１１と、カメラ１２及び１３と、コネクタ１４と、加速度センサ１５と、方位センサ１６と、ジャイロスコープ１７とを有する。
【００１３】
タッチスクリーンディスプレイ２は、ディスプレイ２Ａと、タッチスクリーン２Ｂとを有する。ディスプレイ２Ａ及びタッチスクリーン２Ｂは、例えば、重なって位置してよいし、並んで位置してよいし、離れて位置してよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１４】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを表示する。
【００１５】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにプロセッサ１０に通知する。タッチスクリーン２Ｂは、検出位置の通知をもって接触又は近接の検出をプロセッサ１０に通知してよい。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。
【００１６】
プロセッサ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。プロセッサ１０が行える動作を、プロセッサ１０を有する電子機器１は実行できる。言い換えると、プロセッサ１０が行う動作は、電子機器１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２により行われてもよい。プロセッサ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１７】
プロセッサ１０は、タッチスクリーン２Ｂを介して判別するこれらのジェスチャに従って動作を行う。このため、ユーザにとって直感的で使いやすい操作性が実現される。判別されるジェスチャに従ってプロセッサ１０が行う動作は、ディスプレイ２Ａに表示されている画面に応じて異なることがある。
【００１８】
タッチスクリーン２Ｂの検出方式は、静電容量方式、抵抗膜方式、表面弾性波方式、赤外線方式、及び荷重検出方式等の任意の方式でよい。タッチスクリーンディスプレイ２は、表示部の一例である。
【００１９】
ボタン３は、ユーザからの操作入力を受け付ける。ボタン３の数は、任意の数であってよい。プロセッサ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。ボタン３は、例えばメニューボタン、パワーオンボタン、パワーオフボタン（電源ボタン）、リセットボタンなどの各種機能が割り当てられてよい。ボタン３は、音声入力の処理を実行させる機能が割り当てられてよい。
【００２０】
照度センサ４は、照度を検出する。照度は、照度センサ４の測定面の単位面積に入射する光束の値である。照度センサ４は、例えば、ディスプレイ２Ａの輝度の調整に用いられる。
【００２１】
近接センサ５は、近隣の物体の存在を非接触で検出する。近接センサ５は、赤外線を照射する発光素子と、発光素子から照射された赤外線の反射光を受光する受光素子を有する。照度センサ４及び近接センサ５は、１つのセンサとして構成されていてもよい。
【００２２】
通信ユニット６は、無線により通信する。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。
【００２３】
通信ユニット６によってサポートされる近距離無線の通信規格としては、例えば、ＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（登録商標）（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。通信ユニット６は、上述した通信規格の１つ又は複数をサポートしていてもよい。
【００２４】
通信ユニット６は、スマートフォン、タブレット、デジタルカメラ、クラウドストレージなどの外部機器との通信を行って各種データのやり取りを実現できる。通信ユニット６は、通信部の一例である。
【００２５】
レシーバ７は、プロセッサ１０からの音信号を音として出力する。レシーバ７は、例えば、通話時に相手の声を出力するために用いられる。マイク８は、入力されるユーザの声等を音信号へ変換してプロセッサ１０へ送信する。マイク８は、例えば、通話時などに自分の声を入力するために用いられる。
【００２６】
ストレージ９は、プログラム及びデータを記憶する。ストレージ９は、プロセッサ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２７】
ストレージ９に記憶されるプログラムには、フォアグランド又はバックグランドで実行されるアプリケーションと、アプリケーションの動作を支援する基本プログラムとが含まれる。アプリケーションは、例えば、フォアグランドで実行される場合、当該アプリケーションに係る画面を、ディスプレイ２Ａに表示する。基本プログラムは、例えば、ＯＳ（Ｏｐｅｒａｔｉｎｇ  Ｓｙｓｔｅｍ）、及びファームウェアなどを含んでよい。プログラムは、通信ユニット６による無線通信又は非一過的な記憶媒体を介してストレージ９にインストールされてもよい。
【００２８】
ストレージ９に記憶される基本プログラムは、電子機器１の各種動作に関する処理を実現するための機能をそれぞれ提供できる。基本プログラムが提供する機能は、照度センサ４の検出結果に基づいて、ディスプレイ２Ａの輝度を調整する機能を含む。基本プログラムが提供する機能は、近接センサ５の検出結果に基づいて、タッチスクリーン２Ｂに対する操作を無効とする機能を含む。基本プログラムが提供する機能は、コネクタ１４を介して接続される外部機器との間の通信を制御する機能を含む。基本プログラムが提供する機能は、タッチスクリーン２Ｂの検出結果に基づいて判別したジェスチャに応じて、ディスプレイ２Ａに表示されている情報を変更する等の各種制御を行う機能を含む。
【００２９】
ストレージ９は、制御プログラム９Ａ、電話アプリケーション９Ｂ、メールアプリケーション９Ｃ、ブラウザアプリケーション９Ｄ、カレンダーアプリケーション９Ｅ、応答方法データ９Ｆ、および設定データ９Ｚなどを記憶する。
【００３０】
制御プログラム９Ａは、各種アプリケーションと連携して、実施形態に係る電子機器１に特有の処理を実現するための各種機能を提供できる。制御プログラム９Ａは、専用に作成されたアプリケーションにより実装してもよいし、既存プログラムに対するアドオンなどで実装されてもよい。
【００３１】
制御プログラム９Ａは、電話アプリケーション９Ｂと連携し、文字メッセージを含む電話着信があると、応答方法データ９Ｆに規定される応答方法に従って、電話着信に関する処理を実行するための機能を提供できる。制御プログラム９Ａが提供する機能は、電話着信を報知する画面に、発信ユーザ情報とともに、電話着信に含まれる文字メッセージを通話タイトルとして表示する機能を含んでよい。本実施形態の電話アプリケーション９Ｂが対応する通信方式は、全二重通信方式及び半二重通信方式の少なくとも一方に対応してよい。
【００３２】
図３は、実施形態に係る応答方法データの一例を示す図である。図３に示すように、ストレージ９に記憶される応答方法データ９Ｆは、予め設定されるキーワードと電話着信に対する応答方法とを関連付けて記憶する。
【００３３】
応答方法データ９Ｆにおいて、複数の異なるキーワードに対して同一の応答方法を関連付けることができる。応答方法データ９Ｆにおいて、キーワードに関連付けられる応答方法は、電話着信時の応答処理の内容および電話着信時の報知態様を含んで構成される。
【００３４】
図３に示す応答方法データ９Ｆには、キーワードに関連付けられる応答処理の内容として、「電話着信の報知」、及び「メッセージ要求処理」などが例示される。「電話着信の報知」は、電話着信をユーザに報知する処理である。「メッセージ要求処理」は、データ通信によるメッセージの送信を要求するためのメッセージ要求を送信する処理である。
【００３５】
図３に示す応答方法データ９Ｆには、応答処理が「電話着信の報知」であるときの報知態様として、「着信音の出力および振動」、「キーワード検索に基づく着信音の出力」、及び「設定中の報知態様」などが例示される。「着信音の出力および振動」は、着信音の出力および振動により電子機器１を鳴動させる報知態様である。「キーワード検索に基づく着信音の出力」は、例えば、設定中の着信音の代わりに、ストレージ９に記憶される楽曲データの中からキーワードに合致する楽曲を検索し、検索した楽曲を着信音として出力する報知態様である。報知態様は、図３の設定例の他、例えば、ストレージ９に記憶される動画像データの中からキーワードに基づいて検索した写真または動画像の画像をタッチスクリーンディスプレイ２に表示することを含んでよい。
【００３６】
なお、図３に示す応答方法データ９Ｆには、電話着信に含まれる文字メッセージにキーワードが含まれない場合、応答処理の内容として「電話着信の報知」が規定され、報知態様として「設定中の報知態様」が規定される。設定中の報知態様は、例えば、着信音の出力、発光、あるいは振動などを含む。
【００３７】
電話アプリケーション９Ｂは、無線通信による電話発信、電話着信、及び通話の処理を実行するための機能を提供できる。メールアプリケーション９Ｃは、電子メールの作成、送信、受信、及び表示等のための電子メール機能を提供できる。ブラウザアプリケーション９Ｄは、ＷＥＢページを表示するためのＷＥＢブラウジング機能などを提供できる。カレンダーアプリケーション９Ｅは、スケジュール管理等のためのカレンダー機能を提供できる。
【００３８】
設定データ９Ｚは、電子機器１の動作に関する各種設定の情報を含む。設定データ９Ｚは、制御プログラム９Ａが実行する各種処理に用いるデータを含む。なお、ストレージ９は、図２に例示するもの以外に、他のユーザ（例えば、電子機器１００のユーザ）の名前、電話番号、メールアドレス及び住所などの個人情報が記録された電話帳データ、複数の音楽が収録された楽曲データ、写真および動画などが記録された動画像データなどを記憶できる。
【００３９】
電子機器１は、通信ユニット６を介してクラウドストレージと連携し、当該クラウドストレージが記憶するファイル及びデータにアクセスしてもよい。クラウドストレージは、ストレージ９に記憶されるプログラム及びデータの一部又は全部を記憶してもよい。
【００４０】
プロセッサ１０は演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。プロセッサ１０は、電子機器１の動作を統括的に制御して各種の機能を実現する。
【００４１】
具体的には、プロセッサ１０は、ストレージ９に記憶されているデータを必要に応じて参照しつつ、ストレージ９に記憶されているプログラムに含まれる命令を実行する。そして、プロセッサ１０は、データ及び命令に応じて機能部を制御し、それによって各種機能を実現する。機能部は、例えば、ディスプレイ２Ａ、通信ユニット６、レシーバ７、マイク８、スピーカ１１、カメラ１２，１３などを含むが、これらに限定されない。プロセッサ１０は、検出部の検出結果に応じて、制御を変更することがある。検出部は、例えば、タッチスクリーン２Ｂ、ボタン３、照度センサ４、近接センサ５、マイク８、カメラ１２，１３、加速度センサ１５、方位センサ１６、ジャイロスコープ１７などを含むが、これらに限定されない。
【００４２】
プロセッサ１０は、ストレージ９に記憶される基本プログラムを実行することにより、電子機器１の動作に関する各種制御を実現できる。プロセッサ１０は、例えば、タッチスクリーン２Ｂの検出結果に基づいて判別したジェスチャに応じて、ディスプレイ２Ａに表示されている情報を変更する等の各種制御を実行できる。プロセッサ１０は、例えば、照度センサ４の検出結果に基づいて、ディスプレイ２Ａの輝度を調整できる。プロセッサ１０は、例えば、近接センサ５の検出結果に基づいて、タッチスクリーン２Ｂに対する操作を無効にできる。プロセッサ１０は、例えば、コネクタ１４を介して接続される外部機器との間の通信を制御できる。
【００４３】
プロセッサ１０は、上記各種制御の他、制御プログラム９Ａを実行することにより、各種アプリケーションと連携して、実施形態に電子機器１に特有の処理を実現できる。例えば、プロセッサ１０は、電話アプリケーション９Ｂと連携し、文字メッセージを含む電話着信があると、当該文字メッセージに含まれるキーワードに対応する応答方法をストレージ９に記憶されている応答方法データ９Ｆから取得し、取得した応答方法に従って、電話着信に関する処理を実行できる。
【００４４】
スピーカ１１は、スピーカ１１は、プロセッサ１０から送信される音信号を音として出力する。スピーカ１１は、例えば、着信音及び音楽を出力するために用いられる。
【００４５】
カメラ１２は、電子機器１のフロントフェイスに面している物体を撮影するインカメラである。カメラ１３は、電子機器１のバックフェイスに面している物体を撮影するアウトカメラである。
【００４６】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｉｆｉｎｉｔｉｏｎ  Ｌｉｎｋ）、ライトピーク（Ｌｉｇｈｔ  Ｐｅａｋ）、サンダーボルト（登録商標）（Ｔｈｕｎｄｅｒｂｏｌｔ）、ＬＡＮコネクタ（Ｌｏｃａｌ  Ａｒｅａ  Ｎｅｔｗｏｒｋ  ｃｏｎｎｅｃｔｏｒ）、イヤホンマイクコネクタのような汎用的な端子であってもよい。コネクタ１４は、Ｄｏｃｋコネクタのような専用に設計された端子でもよい。コネクタ１４に接続される装置は、例えば、飛行体、充電器、外部ストレージ、スピーカ１１、通信装置、及び情報処理装置を含むが、これらに限定されない。
【００４７】
加速度センサ１５は、電子機器１に働く加速度の方向及び大きさを検出する。方位センサ１６は、地磁気の向きを検出する。ジャイロスコープ１７は、電子機器１の角度及び角速度を検出する。加速度センサ１５、方位センサ１６及びジャイロスコープ１７の検出結果は、電子機器１の位置及び姿勢の変化を検出するために、組み合わせて利用される。
【００４８】
図４〜図６を用いて、実施形態に係る電子機器による処理の一例を説明する。図４〜図６は、実施形態に係る電子機器による処理の一例を示す図である。
【００４９】
図４は、電話発信を報知する画面において、通話タイトルとして表示される文字メッセージから抽出したキーワードに対応する応答方法に従って、電話着信に応じた鳴動による通常の呼出処理を実行する処理の一例を示している。
【００５０】
具体的には、電子機器１は、電話着信があると、応答方法データ９Ｆを参照して、通話タイトルとして表示される文字メッセージに含まれるキーワード「合格」に関連付けられた応答方法を取得する。そして、電子機器１は、応答方法データ９Ｆから取得した応答方法に従って、電話着信の報知の実施を決定し、鳴動（着信音の出力および振動）による呼出処理を実行する。
【００５１】
図５は、電話発信を報知する画面において、通話タイトルとして表示される文字メッセージから抽出したキーワードに対応する応答方法に従って、電話着信を報知せず、メッセージ要求処理を実行する場合の処理の一例を示している。
【００５２】
具体的には、電子機器１は、電話着信があると、応答方法データ９Ｆを参照して、通話タイトルとして表示される文字メッセージに含まれるキーワード「商談」に関連付けられた応答方法を取得する。そして、電子機器１は、応答方法データ９Ｆから取得した応答方法に従って、電話着信の報知の不実施を決定し、電話着信を報知しない。また、電子機器１はメッセージ要求処理を実行し、電子機器１００にメッセージ要求を示す信号を送信する。ここで電子機器１００は、電子機器１からメッセージ要求を示す信号を受け付けると、データ通信によるメッセージの送信を可能とするアプリケーション（例えば、メールアプリケーション９Ｃ、チャットアプリケーション等）を実行し、メッセージの入力画面を表示してよい。さらに電子機器１００は、データ通信によるメッセージの送信を可能とするアプリケーションを実行するとき、電子機器１をメッセージの送信先として自動的に指定してもよい。
【００５３】
図６は、電話発信を報知する画面において、通話タイトルとして表示される文字メッセージから抽出したキーワードに対応する応答方法に従って、電話着信に応じた鳴動による通常の呼出処理を実行する処理の他の例を示している。
【００５４】
具体的には、電子機器１は、電話着信があると、応答方法データ９Ｆを参照して、通話タイトルとして表示される文字メッセージに含まれるキーワード「お正月」に関連付けられた応答方法を取得する。そして、電子機器１は、応答方法データ９Ｆから取得した応答方法に従って、電話着信の報知の実施を決定し、音声出力（キーワードから検索される楽曲）による呼出処理を実行する。報知態様は、ストレージ９に記憶される楽曲データの中からキーワードに基づいて検索した楽曲の音声を出力する例に加えて、ストレージ９に記憶される動画像データの中からキーワードに基づいて検索した写真または動画像の画像をタッチスクリーンディスプレイ２に表示することを含んでよい。
【００５５】
図７を用いて、実施形態に係る電子機器による処理の流れを説明する。図７は、実施形態に係る電子機器により実行される処理の流れの一例を示すフローチャートである。図７に示す処理は、プロセッサ１０が、制御プログラム９Ａなどを実行することにより実現される。
【００５６】
図７に示すように、プロセッサ１０は、電話着信の有無を判定する（ステップＳ１０１）。
【００５７】
プロセッサ１０は、判定の結果、電話発信があると（ステップＳ１０１，Ｙｅｓ）、電話発信に文字メッセージが含まれるかを判定する（ステップＳ１０２）。
【００５８】
プロセッサ１０は、判定の結果、文字メッセージが含まれる場合（ステップＳ１０２，Ｙｅｓ）、ストレージ９から応答方法データ９Ｆを取得する（ステップＳ１０３）。
【００５９】
続いて、プロセッサ１０は、応答方法データ９Ｆに規定される応答方法に従って、電話着信に関する処理を実行し（ステップＳ１０４）、図７に示す処理を終了する。
【００６０】
上記ステップＳ１０２において、プロセッサ１０は、判定の結果、文字メッセージが含まれない場合（ステップＳ１０２，Ｎｏ）、電話着信に関する処理を実行して（ステップＳ１０５）、図７に示す処理を終了する。
【００６１】
上記ステップＳ１０１において、プロセッサ１０は、判定の結果、電話発信がない場合（ステップＳ１０１，Ｎｏ）、図７に示す処理を終了する。
【００６２】
上述してきたように、実施形態に係る電子機器１は、電話着信に文字メッセージが含まれる場合、応答方法データ９Ｆに規定される応答方法に従って、電話着信に関する処理を実行する。このため、電子機器１は、通話が開始される前に、電話着信の要件を電子機器１のユーザに簡易かつ迅速に認識させることができ、ユーザの利便性に関して電話着信側の機器における処理を改善できる。
【００６３】
（他の実施形態）
上述の実施形態に係る電子機器１は、上述した実施形態に限定されるものではない。すなわち、電子機器１の骨子を逸脱しない範囲で種々変形して実施することができる。以下、電子機器１の他の実施形態を説明する。
【００６４】
図８は、他の実施形態に係る電子機器による処理の一例を示す図である。図８に示すように、電子機器１は、文字メッセージを含まない電話着信があると、文字メッセージを含む電話着信のみを受け付ける旨を発信元である電子機器１００に返信してもよい。
【００６５】
図８に示す処理を実現するため、制御プログラム９Ａにより提供される機能は、電話着信に文字メッセージが含まれない場合、文字メッセージを含む電話着信のみを受け付ける旨を電話発信元に返信する機能を含んでよい。文字メッセージを含む電話着信のみを受け付ける旨の返信処理は、文字メッセージを含む電話着信のみを受け付けることを規定した設定情報を、電話発信元に返信することにより実施されてよい。
【００６６】
設定データ９Ｚは、文字メッセージを含む電話着信のみを受け付ける設定情報を記憶できる。
【００６７】
プロセッサ１０は、制御プログラム９Ａを実行することにより、電話着信に前記文字メッセージが含まれない場合、文字メッセージを含む電話着信のみを受け付ける旨を電話着信の発信元に返信する処理を実行できる。
【００６８】
図９は、他の実施形態に係る電子機器１による処理の流れを示すフローチャートである。図９に示す処理は、プロセッサ１０が、制御プログラム９Ａなどを実行することにより実現される。以下に説明するように、他の実施形態に係る電子機器１の処理は、ステップＳ２０５の処理が図７に示す処理とは異なる。
【００６９】
すなわち、図９に示すように、プロセッサ１０は、話着信の有無を判定する（ステップＳ２０１）。
【００７０】
プロセッサ１０は、判定の結果、電話発信があると（ステップＳ２０１，Ｙｅｓ）、電話発信に文字メッセージが含まれるかを判定する（ステップＳ２０２）。
【００７１】
プロセッサ１０は、判定の結果、文字メッセージが含まれる場合（ステップＳ２０２，Ｙｅｓ）、ストレージ９から応答方法データ９Ｆを取得する（ステップＳ２０３）。
【００７２】
続いて、プロセッサ１０は、応答方法データ９Ｆに規定される応答方法に従って、電話着信に関する処理を実行し（ステップＳ２０４）、図９に示す処理を終了する。
【００７３】
上記ステップＳ２０２において、プロセッサ１０は、判定の結果、文字メッセージが含まれない場合（ステップＳ２０２，Ｎｏ）、文字メッセージを含む電話着信のみを受け付ける旨を発信元に返信して（ステップＳ２０５）、図９に示す処理を終了する。
【００７４】
上記ステップＳ２０１において、プロセッサ１０は、判定の結果、電話発信がない場合（ステップＳ２０１，Ｎｏ）、図９に示す処理を終了する。
【００７５】
上述してきたように、電子機器１は、電話発信に文字メッセージが含まれない場合、文字メッセージを含む電話着信のみを受け付ける旨を発信元に返信できる。このため、電子機器１は、要件不明の電話着信による煩わしさから電子機器１のユーザを解放できる。
【００７６】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００７７】
１  電子機器
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  電話アプリケーション
９Ｃ  メールアプリケーション
９Ｄ  ブラウザアプリケーション
９Ｅ  カレンダーアプリケーション
９Ｆ  応答方法データ
９Ｚ  設定データ
１０  プロセッサ
１１  スピーカ
１２，１３  カメラ
１４  コネクタ
１５  加速度センサ
１６  方位センサ
１７  ジャイロスコープ
【図１】
2020021977.tif 000003
【図２】
2020021977.tif 000004
【図３】
2020021977.tif 000005
【図４】
2020021977.tif 000006
【図５】
2020021977.tif 000007
【図６】
2020021977.tif 000008
【図７】
2020021977.tif 000009
【図８】
2020021977.tif 000010
【図９】
2020021977.tif 000011